(57)【要約】  【課題】新規の設置や配置替えなどに伴う組み立てや解体の際の施工が簡単で、見栄えがよく、誤操作によりパネル同士の接続が解除されてしまう不具合が発生しにくい間仕切り壁を提供する。  【解決手段】隣接するパネル１Ａ、１Ｂの接続端縁１ａＡ、１ａＢ同士が連結手段２、３を介して着脱可能に接続された間仕切り壁Ｗに、前記各パネル１Ａ、１Ｂが、その接続端縁１ａＡ、１ａＢに先端部を望ませた横架材である上枠材１１及び下枠材１３を備えたものであり、前記連結手段２、３が、前記上枠材１１及び下枠材１３の先端部間に介設されるスペーサ１５と、このスペーサ１５を前記上枠材１１及び下枠材１３の先端部に着脱可能に係合させる係合機構１７と、この係合機構１７による係合状態を解除するための操作部たる押しボタン１９とを備えたものであり、前記押しボタン１９が前記上枠材１１の下面及び前記下枠材１３の上面にそれぞれ配されている構成を採用する、【選択図】図７
2018059267.tif 000002
【特許請求の範囲】
【請求項１】
隣接するパネルの接続端縁同士が連結手段を介して着脱可能に接続された間仕切り壁であって、
前記各パネルが、その接続端縁に先端部を望ませた横架材を備えたものであり、
前記連結手段が、前記横架材の先端部間に介設されるスペーサと、このスペーサを前記横架材の先端部に着脱可能に係合させる係合機構と、この係合機構による係合状態を解除するための操作部とを備えたものであり、前記操作部が前記横架材の上、下面の何れか、又は、前記スペーサの上、下面の何れかに配されている間仕切り壁。
【請求項２】
前記横架材の先端部が、横架材本体の端に先端キャップを装着したものであり、前記先端キャップと前記スペーサとを係合機構により着脱可能に係合させるように構成されている請求項１記載の間仕切り壁。
【請求項３】
前記各先端キャップの先端面が、平面視において中央が突出する矢尻状のものであり、前記スペーサの両端面が前記先端キャップの先端面が係合する凹陥状のものである請求項２記載の間仕切り壁。
【請求項４】
前記係合機構が、前記各先端キャップの先端面、及び、前記スペーサの両端面のいずれか一方に突設された突起と、他方に設けられたスリットとを備えたものであり、前記突起を前記スリットに挿入することによって前記突起の係合部が前記スリット側の係合部に部材の弾性変形を利用して係合するように構成されたものである請求項２又は３記載の間仕切り壁。
【請求項５】
前記スペーサが、両端部分に前記係合部を有する連結プレートと、この連結プレートの中間部分を包持するスペーサ本体とを備えたものであり、前記スペーサ本体に当該スペーサの前記両端面が形成されており、それら両端面から外部に突出する前記連結プレートの両端部分が前記係合機構の前記突起を構成している請求項４記載の間仕切り壁。
【請求項６】
前記先端キャップが、前記連結プレートに設けられた突起が挿入される前記スリットを前記先端面に開口させて形成しているとともに、前記スリットに挿入された突起に沿いうる位置に弾性壁を設けたものであり、前記係合機構が、前記突起の前記スリットへの挿入動作を利用して前記弾性壁を厚み方向に弾性変形させ、その弾性壁の内面に形成された係合部を前記突起に形成された係合部に係合させるようにしたものである請求項５記載の間仕切り壁。
【請求項７】
前記弾性壁の自由端側に前記操作部である押ボタンが設けられている請求項６記載の間仕切り壁。
【発明の詳細な説明】
【技術分野】
【０００１】
本発明は、スクリーン、衝立、パーティション等としてオフィスその他で使用される間仕切り壁に関するものである。
【背景技術】
【０００２】
この種の間仕切り壁として、複数枚のパネルを横方向に連結したものが知られている。
ところが、従来のものは、隣接するパネルの上フレームや下フレーム同士が連結金具を介して連結されており、前記連結金具は前記上フレーム及び下フレームにねじ止めされるのが一般的である。そのため、新規の設置や配置替えなどに伴う組み立てや解体に、ねじの装脱作業を含む大掛かりな施工が必要となる。
【０００３】
なお、接続端縁に頑丈な竪フレームを有したパネルを接続する構造の間仕切り壁においては、連結具の両端部を前記各パネルの竪フレームにそれぞれ係合機構を介して着脱可能に接続したものも知られている（例えば、特許文献１を参照）。
【０００４】
ところがこのような構成のものは、前記係合機構を竪フレームに設ける必要があるため、この係合機構を操作するための操作部も竪フレームに配されることになる。そのため、前記操作部がパネルの表、裏何れかの面に露出することになり、見栄えが悪い上に使用中に誤操作によりパネル同士の接続が解除されてしまうという不具合の発生も懸念される。
【先行技術文献】
【特許文献】
【０００５】
【特許文献１】特開平４−３６８５３７号公報
【発明の概要】
【発明が解決しようとする課題】
【０００６】
本発明は以上の点に着目し、新規の設置や配置替えなどに伴う組み立てや解体の際の施工が簡単で、見栄えがよく、誤操作によりパネル同士の接続が解除されてしまう不具合が発生しにくい間仕切り壁を提供することを目的とする。
【課題を解決するための手段】
【０００７】
請求項１記載の間仕切り壁は、隣接するパネルの接続端縁同士が連結手段を介して着脱可能に接続された間仕切り壁であって、前記各パネルが、その接続端縁に先端部を望ませた横架材を備えたものであり、前記連結手段が、前記横架材の先端部間に介設されるスペーサと、このスペーサを前記横架材の先端部に着脱可能に係合させる係合機構と、この係合機構による係合状態を解除するための操作部とを備えたものであり、前記操作部が前記横架材の上、下面の何れか、又は、前記スペーサの上、下面の何れかに配されている。
【０００８】
請求項２記載の間仕切り壁は、請求項１に係る構成において、前記横架材の先端部が、横架材本体の端に先端キャップを装着したものであり、前記先端キャップと前記スペーサとを係合機構により着脱可能に係合させるように構成されている。
【０００９】
請求項３記載の間仕切り壁は、請求項２に係る構成において、前記各先端キャップの先端面が、平面視において中央が突出する矢尻状のものであり、前記スペーサの両端面が前記先端キャップの先端面が係合する凹陥状のものである。
【００１０】
請求項４記載の間仕切り壁は、請求項２又は３に係る構成において、前記係合機構が、前記各先端キャップの先端面、及び、前記スペーサの両端面のいずれか一方に突設された突起と、他方に設けられたスリットとを備えたものであり、前記突起を前記スリットに挿入することによって前記突起の係合部が前記スリット側の係合部に部材の弾性変形を利用して係合するように構成されたものである。
【００１１】
請求項５記載の間仕切り壁は、請求項４に係る構成において、前記スペーサが、両端部分に前記係合部を有する連結プレートと、この連結プレートの中間部分を包持するスペーサ本体とを備えたものであり、前記スペーサ本体に当該スペーサの前記両端面が形成されており、それら両端面から外部に突出する前記連結プレートの両端部分が前記係合機構の前記突起を構成している。
【００１２】
請求項６記載の間仕切り壁は、請求項５に係る構成において、前記先端キャップが、前記連結プレートに設けられた突起が挿入される前記スリットを前記先端面に開口させて形成しているとともに、前記スリットに挿入された突起に沿いうる位置に弾性壁を設けたものであり、前記係合機構が、前記突起の前記スリットへの挿入動作を利用して前記弾性壁を厚み方向に弾性変形させ、その弾性壁の内面に形成された係合部を前記突起に形成された係合部に係合させるようにしたものである。
【００１３】
請求項７記載の間仕切り壁は、請求項６に係る構成において、前記弾性壁の自由端側に前記操作部である押ボタンが設けられている。
【発明の効果】
【００１４】
本発明によれば、新規の設置や配置替えなどに伴う組み立てや解体の際の施工が簡単で、見栄えがよく、誤操作によりパネル同士の接続が解除されてしまう不具合が発生しにくい間仕切り壁を提供することができる。
【図面の簡単な説明】
【００１５】
【図１】本発明の一実施形態に係る間仕切壁を示す正面図。
【図２】同実施形態に係る間仕切壁を示す平面図。
【図３】図１におけるＡ−Ａ線に沿った断面の要部拡大図。
【図４】図１におけるＢ−Ｂ線に沿った拡大断面図。
【図５】同実施形態に係る上下の連結手段を斜め上方から示す斜視図。
【図６】同実施形態に係る上下の連結手段を斜め下方から示す斜視図。
【図７】同実施形態に係る上下の連結手段を示す正断面図。
【図８】同実施形態に係るパネルの接続を解除した状態を示す部分斜視図。
【図９】同実施形態に係るパネルの接続を解除した状態を示す平面図。
【図１０】同状態における上下の連結手段を斜め上方から示す斜視図。
【図１１】同状態における上下の連結手段を斜め下方から示す斜視図。
【図１２】同状態における上下の連結手段を示す正断面図。
【図１３】本発明の他の実施態様に係る間仕切壁のパネルを示す正面図。
【図１４】本発明の他の実施態様に係る間仕切壁のフィンの芯材を示す正面図。
【発明を実施するための形態】
【００１６】
本発明の一実施形態を、図１〜図１２を参照しつつ以下に述べる。
【００１７】
この実施形態は、ルーバー状の複数枚のパネル１Ａ、１Ｂを備えた間仕切り壁Ｗに適用したものである。この間仕切り壁Ｗは、隣接するパネル１Ａ、１Ｂの接続端縁１ａＡ、１ａＢ同士が上下の連結手段２、３を介して着脱可能に接続されたものである。前記各パネル１Ａ、１Ｂは、その接続端縁１ａＡ、１ａＢに先端部１１ａ、１３ａを望ませた横架材である上枠材１１及び下枠材１３を備えたものである。前記各連結手段２、３は、前記上枠材１１及び下枠材１３の先端部１１ａ、１３ａ間にそれぞれ介設されるスペーサ１５と、このスペーサ１５を前記上枠材１１又は下枠材１３の先端部１１ａ、１３ａに着脱可能に係合させる係合機構１７と、この係合機構１７による係合状態を解除するための操作部である押しボタン１９とを備えたものである。
【００１８】
以下、この間仕切り壁を構成する平面視９０°屈曲した形状の第１のパネル１Ａと平面視直線状の第２のパネル１Ｂとを接続している部分について詳細に説明する。
【００１９】
ここで、図１は、第１及び第２のパネル１Ａ、１Ｂを接続した状態を示す部分的な正面図である。図２は、同平面図である。図３は、図１におけるＡ−Ａ線に沿った断面を示しパネル１Ａ、１Ｂの中間部分は省略してある。図４は、図１におけるＢ−Ｂ線に沿った拡大断面図である。図５は、連結状態にある上下の連結手段２、３を斜め上方から示す斜視図であり、パネル１Ａ、１Ｂの中間部分は省略してある。図６は、連結状態にある上下の連結手段２、３を斜め下方から示す斜視図であり、パネル１Ａ、１Ｂの中間部分は省略してある。図７は、連結状態にある上下の連結手段２、３を示す正断面図であり、パネル１Ａ、１Ｂの中間部分は省略してある。図８は、第１及び第２のパネル１Ａ、１Ｂの接続を解除した状態を示す部分斜視図である。図９は、同平面図である。図１０は、接続を解除した状態にある上下の連結手段２、３を斜め下方から示す斜視図であり、パネル１Ａ、１Ｂの中間部分は省略してある。図１１は、接続を解除した状態にある上下の連結手段２、３を示す正断面図であり、パネル１Ａ、１Ｂの中間部分は省略してある。図１２は、接続を解除した状態にある上下の連結手段２、３を示す正断面図であり、パネル１Ａ、１Ｂの中間部分は省略してある。
≪第１のパネル≫
前記第１のパネル１Ａは、図１〜４及び図７〜図９に示すように、前記横架材である上枠材１１と、同じく前記横架材である下枠材１３との間に起立姿勢をなす複数本のフィン２１を横方向に所定のピッチで介設したものである。
＜上の横架材（上枠材）＞
前記上枠材１１は、図２、図３、図５〜図７及び図９〜図１２に示すように、横架材本体である上枠材本体２３と、この上枠材本体２３の先端に装着された先端キャップ２５Ｘとを具備してなる。
【００２０】
前記上枠材本体２３は、図３、図５〜図７及び図１０〜図１２に示すように、フィン２１の上端にねじを用いて止着されるベース板２９と、このベース板２９の上面に添設された補強パイプ３１と、この補強パイプ３１の両側に位置させて前記ベース板２９の両端にそれぞれ取り付けられたエッジ部材３３Ｘと、これらのエッジ部材３３Ｘを前記ベース板２９に止着するためのエッジ部材固定具３５Ｘと、前記エッジ部材３３Ｘの上面間に蓋着されたカバー板３７とを備えている。
【００２１】
前記ベース板２９は、図３に示すように、主ねじ２７を用いてフィン２１の上端に形成した主ねじ孔２１ａに止着されている。但し、巾方向端部から数えて２番目のフィン２１には、主ねじ２７ではなく副ねじ４２を用いて当該フィン２１の上端に形成した副ねじ孔２１ｂに止着されている。
【００２２】
前記エッジ部材３３Ｘは、図３及び図５〜図７に示すように、前記ベース板２９の両側縁に沿って伸びる長尺なもので、その内側縁に反ベース板２９方向に開口する溝３３ａを備えている。
【００２３】
前記エッジ部材固定具３５Ｘは、パネル１Ａの両端近傍に位置するフィン２１に対応する部位に取り付けられたもので、図３に示すように、前記ベース板２９を前記フィン２１、より具体的には巾方向端部から数えて２番目のフィン２１に止着するための主ねじ２７を利用して共締め固定されている。このエッジ部材固定具３５Ｘは、ベース板２９方向に屈曲する係合爪３９を備えたもので、この係合爪３９を前記エッジ部材３３Ｘの溝３３ａに係合させることにより前記エッジ部材３３Ｘを前記ベース板２９に対して位置決めしている。
【００２４】
前記カバー板３７は、図３及び図５〜図７に示すように、前記両エッジ部材３３の上向き面３３ｂ及び前記補強パイプ３１の上面３１ａに添接されたもので、前記各フィン２１が存在しないフィン間位置にナット４１を備えている。このナット４１に、前記ベース板２９及び前記補強パイプ３１を貫通させた副ねじ４２を下側から螺着することにより、このカバー板３７、前記ベース板２９及び前記補強パイプ３１が一体化されている。
【００２５】
前記先端キャップ２５Ｘは、前記上枠材本体２３の先端部に嵌着されるブロック状のものであり、前記係合機構１７によりこの先端キャップ２５Ｘと前記スペーサ１５とを着脱可能に係合させるように構成されている。この先端キャップ２５Ｘは、図５〜図７及び図１０〜図１２に示すように、先端側に前記ベース板２９及びカバー板３７の小口先端面を覆う鍔部２５ａを備えており、その鍔部２５ａの外面側を当該先端キャップ２５Ｘの先端面２５ｂとしている。この先端面２５ｂは、平面視において中央が突出する矢尻状のものであり、この先端面２５ｂに前記連結手段２の係合機構１７を構成するスリット４３を開口させている。このスリット４３には、前記スペーサ１５の端面１５ａに突設され前記連結手段２の係合機構１７を構成する突起４５が挿入される。また、前記スリット４３に挿入された前記突起４５に沿いうる位置に、弾性壁４７を設けている。さらに、この先端キャップ２５Ｘには、対をなすねじ挿通孔２５ｃが設けられており、これらねじ挿通孔２５ｃに挿通させた主ねじ２７を、前記ベース板２９を貫通させて最も先端側に位置する前記フィン２１の主ねじ孔２１ａに螺着することにより、当該先端キャップ２５Ｘが前記上枠材本体２３に固定されている。一方、前記弾性壁４７の自由端側には、前記連結機構１７の操作部である押ボタン１９が設けられている。前記上枠材本体２３の下面を形成する前記ベース板２９には、この押しボタン１９を露出させるための貫通孔２９ａが設けられている。また、前記弾性壁４７には、下方に突出した爪状の係合部４９が設けられており、前記突起４５が前記スリット４３に挿入されたときに、前記弾性壁４７が厚み方向に弾性変形し、前記爪状の係合部４９が前記突起４５に設けた孔状の係合部５１に係合するようにしてある。なお、この先端キャップ２５Ｘの内方端面２５ｄには、前記上枠材本体２３のエッジ部材３３の溝３３ａに係合する係合爪５４を有したエッジ部材固定具５３が一体に形成されている。
＜下の横架材（下枠材）＞
前記下枠材１３は、図２〜図７及び図９〜図１２に示すように、横架材本体である下枠材本体５５と、この下枠材本体５５の先端に装着された先端キャップ２５Ｙとを具備してなる。
【００２６】
前記下枠材本体５５は、図３〜図７に示すように、フィン２１の下端にねじを用いて止着されるベース板５９と、このベース板５９の下面に添設された補強パイプ６１と、この補強パイプ６１の両側に位置させて前記ベース板５９の両端にそれぞれ取り付けられたエッジ部材３３Ｙと、これらのエッジ部材３３Ｙを前記ベース板５９に止着するためのエッジ部材固定具３５Ｙとを備えている。
【００２７】
前記ベース板５９は、図３〜図７に示すように、前記上枠材１１のベース板２９を上下反転させた構成のもので、主ねじ２７を用いてフィン２１の下端に形成した主ねじ孔２１ａに止着されている。但し、巾方向端部から数えて２番目のフィン２１には、後述するように、主ねじ２７ではなく副ねじ４２を用いて当該フィン２１の下端に止着されている。
【００２８】
前記補強パイプ６１は、図３及び図５〜図７に示すように、前記上枠材１１の補強パイプ３１よりも上下方向寸法が大きく設定されたもので、その下面にアジャスタ６７や転倒防止用の脚羽根６９が取り付けられている。この補強パイプ５９は、副ねじ４２を用いてベース板５９とともに巾方向端部から数えて２番目のフィン２１の下端に形成した副ねじ孔２１ｂに止着されている。
【００２９】
前記エッジ部材３３Ｙは、図３〜図７に示すように、前記上枠材１１のエッジ部材３３Ｘを上下反転した形状のものであり、対応する部位には同一の名称及び符号を付して説明を省略する。
【００３０】
前記エッジ部材固定具３５Ｙも、図３〜図７に示すように、前記上枠材１１のエッジ部材固定具３５Ｘを上下反転した形状のものであり、対応する部位には同一の名称及び符号を付して説明を省略する。
【００３１】
前記先端キャップ２５Ｙは、図５〜図７及び図１０〜図１２に示すように、前記上枠材１１の先端キャップ２５Ｘを上下反転させたものに準じた構成のもので、同一又は対応する部分には同一の名称及び符号を付して説明を省略する。この先端キャップ２５Ｙが前記上枠材１１の先端キャップ２５Ｘと異なっている点は、該先端キャップ２５Ｙの下面先端側に、前記補強パイプ６１に連続しその一部が前記補強パイプ６１内に嵌合する突起７１が設けられている点である。また、前記下枠材本体５５の上面を形成する前記ベース板５９にも、前記押しボタン１９を露出させるための貫通孔５９ａが設けられている。
＜フィン＞
前記フィン２１は、図３及び図４に示すように、アルミ押し出し材等により作られた芯材７３と、この芯材７３の外面を覆う布製の外装材７５とを備えたもので、前記芯材７３の上下両端部には、前記主ねじ孔２１ａと前記副ねじ孔２１ｂとが設けられている。
≪第２のパネル≫
前記第２のパネル１Ｂは、平面視直線状のものである点を除いては、上述した第１のパネル１Ａに準じた構成をなすものであり、第１のパネル１Ａと同一又は対応する部分には同一の名称及び符号を付して説明を省略する。
≪上の連結手段≫
前記上の連結手段２は、前記第１のパネル１Ａの上枠材１１と前記第２のパネル１Ｂの上枠材１１とを連結するためのもので、図５〜図７及び図１０〜図１２に示すように、前記各上枠材１１の先端部１１ａ間に介設されるスペーサ１５と、このスペーサ１５を前記上枠材１１の先端部１１ａに着脱可能に係合させる係合機構１７と、この係合機構１７による係合状態を解除するための操作部である押しボタン１９とを備えたものであり、前記押しボタン１９が前記上枠材１１の下面に配されている。
＜スペーサ＞
前記スペーサ１５は、図５〜図７及び図１０〜図１２に示すように、連結プレート７７と、この連結プレート７７の中間部分を包持するスペーサ本体７９とを備えたものであり、前記スペーサ本体７９に当該スペーサ１５の両端面１５ａが形成されている。そして、このスペーサ本体７９の両端面すなわち前記スペーサ１５の両端面１５ａから外部に突出する前記連結プレート７７の両端部分が前記係合機構１７の前記突起４５を構成している。前記スペーサ１５の両端面１５ａは、前記先端キャップ２５Ｘの先端面２５ｂが係合する平面視Ｖ字状をなす凹陥状のものである。前記連結プレート７７は、金属板製のもので、この連結プレート７７の両端部である前記突起４５は、前記スリット４３に対応した平板状をなしている。一方、前記スペーサ本体７９は、前記連結プレート７７の一表面側に配される第１の部材８１と、前記連結プレート７７の他表面側に配される第２の部材８３とを結合してなるものであり、これら第１及び第２の部材８１、８３により、前記連結プレート７７を挟持している。このスペーサ１５の両先端面１５ａ間の離間距離は、図４に示すように、接続状態において第１のパネル１Ａの最も先端側に位置するフィン２１と第２のパネルの１Ｂの最も先端側に位置するフィン２１との距離ｄ１が、各パネル１Ａ、１Ｂの隣接するフィン２１間の距離ｄ２と等しくなるような値に設定されている。このようなものであれば、パネル１Ａ、１Ｂ間の接続部分の外観を自然なものにすることができる。
＜係合機構及び押しボタン＞
前記係合機構１７は、図５〜図７及び図１０〜図１２に示すように、前記スペーサ１５の両端面に突設された突起４５と、各先端キャップ２５Ｘの先端面２５ａに設けられたスリット４３とを備えたものであり、前記突起４５を前記スリット４３に挿入することによって前記突起４５に設けられた孔状の係合部５１が前記スリット４３側に設けられた爪状の係合部４９に部材の弾性変形を利用して係合するように構成されたものである。すなわち、この実施形態では、第１のパネル１Ａの上枠材１１とスペーサ１５との間及び第２のパネル１Ｂの上枠材１１とスペーサ１５との間にそれぞれ係合機構１７が設けられており、各係合機構１７の係合状態を解除するための操作部たる押しボタン１９も各パネル１Ａ、１Ｂの上枠材１１の下面にそれぞれ設けられている。
≪下の連結手段≫
前記下の連結手段３は、前記第１のパネル１Ａの下枠材１３と前記第２のパネル１Ｂの下枠材１３とを連結するためのもので、図４〜図７及び図１０〜図１２に示すように、前記各下枠材１３の先端部１３ａ間に介設されるスペーサ１５と、このスペーサ１５を前記下枠材１３の先端部１３ａに着脱可能に係合させる係合機構１７と、この係合機構１７による係合状態を解除するための操作部たる押しボタン１９とを備えたものであり、前記押しボタン１９が前記下枠材１３の上面に配されている。
【００３２】
前記スペーサ１５は、前記上の連結手段２のスペーサ１５を上下反転させた構成をなすものであり、同一又は相当する部位には同一の名称及び符号を付して説明を省略する。なお、このスペーサ１５の下面には、前記第１及び第２のパネル１Ａ、１Ｂの下枠材１３における先端キャップ２５Ｙの下面先端側の突起７１に両端面が衝き当たり、前後両面がそれぞれ前記突起７１の表面と略面一である下被覆部材８５が取り付けられる。
【００３３】
前記係合機構１７も、前記上の連結手段２の係合機構１７を上下反転させた構成をなすものであり、同一又は相当する部位には同一の名称及び符号を付して説明を省略する。
【００３４】
そして、この実施形態では、第１のパネル１Ａの下枠材１３とスペーサ１５との間及び第２のパネル１Ｂの下枠材１３とスペーサ１５との間にそれぞれ係合機構１７が設けられており、各係合機構１７の係合状態を解除するための操作部たる押しボタン１９が各パネルの下枠材１３の上面にそれぞれ設けられている。
≪各部の作用≫
このような構成のものであれば、第１のパネル１Ａの上枠材１１の下面に臨設されている押しボタン１９を上方に押圧するとともに第１の下枠材１３の上面に臨設されている押しボタン１９を下方に押圧することにより第１のパネル１Ａをスペーサ１５から離脱させることができる。すなわち、前記押しボタン１９を押圧操作すると、弾性壁が突起から離間する方向に弾性変形し、前記弾性壁に設けられた爪状の係合部が前記スペーサの突起に設けられた孔状の係合部から離脱することになり、スペーサの突起を第１のパネル１Ａのスリットから抜き取ることが可能になる。同様に、第２のパネル１Ｂの押しボタン１９を操作することにより、第２のパネル１Ｂの上枠材１１及び下枠材１３に係合しているスペーサ１５をそれぞれ取り外すことができる。組み立てる際には、スペーサ１５の突起を各パネル１Ａ、１Ｂのスリットに押し込むことにより、前記弾性壁が厚み方向に一時的に変形しスペーサ１５と各パネル１Ａ、１Ｂとの接続が自動的に行われる。
【００３５】
従ってこのようなものであれば、ねじの取り外しなどの面倒な施工を行うことなしにパネルの組立や解体等を容易に行うことができる。しかも、操作部である押しボタン１９は、横架材である上枠材１１の下面及び下枠材１３の上面に設けてあるため、パネル１Ａ、１Ｂの表裏両面に露出することがなく、見栄えを良好なものにできるとともに、誤操作などによる不具合の発生を防ぐことができる。
【００３６】
また、前記上枠材１１及び下枠材１３の先端部１１ａ、１３ａが、上枠材本体２３及び下枠材本体５５の端に先端キャップ２５Ｘ、２５Ｙを装着したものであり、前記先端キャップ２５Ｘ、２５Ｙと前記スペーサ１５とを係合機構１７により着脱可能に係合させるように構成されていることから、上枠材本体２３、下枠材本体５５及びフィン２１には特別な加工を施すことなく、前記先端キャップ２５Ｘ、２５Ｙ及び前記スペーサ１５のみに前記係合機構１７を構成する部位を集中させることにより、種々の寸法の上枠材本体２３、下枠材本体５５及びフィン２１を用いたこの種の間仕切り壁において、部材及び設計の共通化を図ることができる。
【００３７】
その上、前記各先端キャップ２５Ｘ、２５Ｙの先端面２５ｂが、平面視において中央が突出する矢尻状のものであり、前記スペーサ１５の両端面１５ａが、前記先端キャップ２５Ｘ、２５Ｙの先端面２５ｂが係合する凹陥状のものであるので、これら先端キャップ２５Ｘ、２５Ｙの先端面２５ｂとスペーサ１５の両端面１５ａとを係合させることにより、各先端キャップ２５Ｘ、２５Ｙとスペーサ１５との間の位置決め、ひいては上枠材１１又は下枠材１３とスペーサ１５との間の位置決めを容易に行うことができる。
【００３８】
加えて、前記係合機構２、３が、前記各先端キャップ２５Ｘ、２５Ｙの先端面２５ｂに設けられたスリット４３と前記スペーサ１５の両端面１５ａに突設された突起４５とを備えたものであり、前記突起４５を前記スリット４３に挿入することによって前記突起４５の孔状の係合部５１が前記スリット４３側の爪状の係合部４９に部材の弾性変形を利用して係合するように構成されたものであるので、前記突起４５を前記スリット４３に挿入する動作を利用してパネル１Ａ、１Ｂとスペーサ１５との接続を容易に行うことができる。
【００３９】
特に、前記スペーサ１５が、両端部分に前記係合部５１を有する連結プレート７７と、この連結プレート７７の中間部分を包持するスペーサ本体７９とを備えたものであり、前記スペーサ本体７９に当該スペーサ１５の前記両端面１５ａが形成されており、それら両端面１５ａから外部に突出する前記連結プレート７７の両端部分が前記係合機構１７の前記突起４５を構成しているので、スペーサ１５側にスリット、先端キャップ２５Ｘ、２５Ｙ側に突起を形成する態様と比較して、パネルが他のパネルと接続していない場合に係合機構１７の突起４５が外部に露出することがなく、より見栄えを整えることができる。
【００４０】
そして、前記先端キャップ２５Ｘ、２５Ｙが、前記連結プレート７７に設けられた突起４５が挿入される前記スリット４３を前記先端面２５ｂ、５７ｂに開口させて形成しているとともに、前記スリット４３に挿入された突起４５に沿いうる位置に弾性壁４７を設けたものであり、前記係合機構１７が、前記突起４５の前記スリット４３への挿入動作を利用して前記弾性壁４７を厚み方向に弾性変形させ、その弾性壁４７の内面に形成された爪状の係合部４９を前記突起４５に形成された孔状の係合部５１に係合させるようにしたものであるので、スペーサ１５と先端キャップ２５Ｘ、２５Ｙとの接続操作を容易に行うことができる。
【００４１】
加えて、前記弾性壁４７の自由端側に前記押ボタン１９が設けられているので、この押ボタン１９に対する操作力により、弾性壁４７に形成した爪状の係合部４９とスペーサ１５の突起４５に形成した孔状の係合部５１との係合状態の解除を直接的に行うことができる。
【００４２】
なお、本発明は以上に述べた実施形態に限らない。
【００４３】
例えば、上述した実施形態では、平面視直線状のパネルと平面視９０°屈曲したパネルとの接合部分を示しているが、３枚以上のパネルを接続してもよく、また、パネル自体の形状も、図１３に平面図を示すような湾曲したパネル１Ｃ等、種々のものを用いてもよい。なお、前記パネル１Ｃは、平面視した形状以外は上述した実施形態における第１及び第２のパネル１Ａ、１Ｂと同様の構成を有しており、対応する箇所には同一の符号を付して説明を省略する。
【００４４】
また、上述した実施形態に係るフィンの他、図１４に示すような、上端部及び下端部に主ねじ孔２１ａ及び副ねじ孔２１ｂをそれぞれ有している芯材Ｘ７３を図示しない外装材で被覆したフィンを用いてもよい。
【００４５】
さらに、上述した実施形態では、操作部（押しボタン）を上側の横架材（上枠材）の下面及び下側の横架材（下枠材）の上面に配しているが、上側の横架材の上面や、下側の横架材の下面に配してもよく、また、操作部をスペーサの上、下面の何れかに配するようにしてもよい。
【００４６】
加えて、前記横架材の先端部が、横架材本体の端に先端キャップを装着したものであり、前記先端キャップと前記スペーサとを係合機構により着脱可能に係合させる、上述した実施形態のような態様に代えて、棒状をなす横架材の端部に係合機構を構成する部位として機能するものを設けてももちろんよい。
【００４７】
一方、前記横架材の先端部が、横架材本体の端に先端キャップを装着したものであり、前記先端キャップと前記スペーサとを係合機構により着脱可能に係合させる態様においては、先端キャップの先端面の形状、及びスペーサの端面の形状は、任意に設定してよい。
【００４８】
さらに、係合機構の構成も、上述したような実施形態に係るものに限らず、例えば、横架材の先端部に突起を設け、この突起をスペーサに設けたスリットに挿入する態様のものや、横架材の上面及び下面からスペーサに向かって伸び先端部に互いに相寄る方向突出する爪状の係合部を有する弾性壁を設け、スペーサの上下両面に前記爪状の係合部と係合可能な穴状の係合部を設ける態様のもの等を採用してもよい。
【００４９】
また、スペーサの構成は、上述したような実施形態に係るもののような構成、すなわち連結プレートと、この連結プレートの中間部分を包持するスペーサ本体とを有する構成に限らず、例えば、全体を一体に形成し両端面から横架材のスリットに係合可能な突起が突出する構成等を採用してもよい。
【００５０】
加えて、先端キャップの弾性壁の自由端側に操作部である押ボタンを設ける態様以外に、操作部に加えられた操作力を先端キャップに伝達し、この操作力によって係合機構による係合状態を解除するための操作力伝達機構を別途設けてもよい。
【００５１】
その他、本発明の趣旨を損ねない範囲で種々変形してよい。
【符号の説明】
【００５２】
Ｗ…間仕切り壁
１Ａ、１Ｂ…パネル
２、３…連結手段
１１、１３…横架材（上枠材、下枠材）
１５…スペーサ
１７…係合機構
１９…操作部（押しボタン）
【図１】
2018059267.tif 000003
【図２】
2018059267.tif 000004
【図３】
2018059267.tif 000005
【図４】
2018059267.tif 000006
【図５】
2018059267.tif 000007
【図６】
2018059267.tif 000008
【図７】
2018059267.tif 000009
【図８】
2018059267.tif 000010
【図９】
2018059267.tif 000011
【図１０】
2018059267.tif 000012
【図１１】
2018059267.tif 000013
【図１２】
2018059267.tif 000014
【図１３】
2018059267.tif 000015
【図１４】
2018059267.tif 000016